(57)【特許請求の範囲】
【請求項１】
コンテナが車輌に搭載された荷役装置により積卸し自在に構成され、地震等の災害発生時に被災地への救援設備運搬による救援活動を行うためのコンテナ着脱式災害救援車において、
前記コンテナ内には汚物焼却処理式トイレが設けられ、該前記汚物焼却処理式トイレは、便器と処理装置とが平面上に分離して併置され、これら便器と処理装置とが搬送手段を介して接続されたことを特徴とするコンテナ着脱式災害救援車。
【請求項２】
前記搬送手段は、各便器から回収された汚物を貯留しておく汚物貯留タンクと、この汚物貯留タンク内の汚物を処理装置に吸引圧送する汚物吸引圧送手段とから構成されている請求項１記載のコンテナ着脱式災害救援車。
【請求項３】
前記汚物貯留タンクには処理装置で処理可能な量の汚物が溜まったことを検知する汚物検知手段が設けられ、汚物検知手段の検知に基づいて汚物を処理装置に吸引圧送するように構成されている請求項１又は２記載のコンテナ着脱式災害救援車。
【請求項４】
前記汚物吸引圧送手段と処理装置とは汚物輸送管により連通されるとともに、この汚物輸送管には開閉弁が設けられ、この開閉弁よりも汚物吸引圧送手段側の汚物輸送管からバイパス管が分岐され、該バイパス管が汚物貯留タンクに連通されている請求項１、２又は３記載のコンテナ着脱式災害救援車。
【請求項５】
前記汚物貯留タンクには、便器などの洗浄を行う既存の洗浄手段から切換弁を介して分岐された洗浄管が接続されている請求項１、２、３又は４記載のコンテナ着脱式災害救援車。
【発明の詳細な説明】
【０００１】
【発明の属する技術分野】
本発明は、被災地に各種の救援設備を設置するためのコンテナ着脱式災害救援車に関するものである。
【０００２】
【従来の技術】
従来、災害時の救援用として、各種の救援設備を架装した自走式の専用車輌が多数提供されており、災害時には目的に応じた専用の救援車を移送して救援活動を行っている。
【０００３】
【発明が解決しようとする課題】
しかしながら、上記従来の救援車は、車輌と救援設備が一体となった専用車であるため、各救援車１台毎にトラックとして購入する必要があり導入価格が高く、さらに一台毎に税金、保険、整備等が必要となり、維持費用が高いという問題があった。
【０００７】
【課題を解決するための手段】
本発明のコンテナ着脱式災害救援車は、コンテナが車輌に搭載された荷役装置により積卸し自在に構成され、地震等の災害発生時に被災地への救援設備運搬による救援活動を行うためのコンテナ着脱式災害救援車において、前記コンテナ内には汚物焼却処理式トイレが設けられ、該前記汚物焼却処理式トイレは、便器と処理装置とが平面上に分離して併置され、これら便器と処理装置とが搬送手段を介して接続されたものである。
【０００８】
本発明のコンテナ着脱式災害救援車は、前記搬送手段が、各便器から回収された汚物を貯留しておく汚物貯留タンクと、この汚物貯留タンク内の汚物を処理装置に吸引圧送する汚物吸引圧送手段とから構成されている。
【０００９】
本発明のコンテナ着脱式災害救援車は、前記汚物貯留タンクには処理装置で処理可能な量の汚物が溜まったことを検知する汚物検知手段が設けられ、汚物検知手段の検知に基づいて汚物を処理装置に吸引圧送するように構成されている。
【００１０】
本発明のコンテナ着脱式災害救援車は、前記汚物吸引圧送手段と処理装置とは汚物輸送管により連通されるとともに、この汚物輸送管には開閉弁が設けられ、この開閉弁よりも汚物吸引圧送手段側の汚物輸送管からバイパス管が分岐され、該バイパス管が汚物貯留タンクに連通されている。
本発明のコンテナ着脱式災害救援車は、前記汚物貯留タンクには、便器などの洗浄を行う既存の洗浄手段から切換弁を介して分岐された洗浄管が接続されている。
【００１１】
【発明の実施の形態】
以下、本発明の実施の形態を図面を参照して説明する。
【００１２】
図１は、本発明のコンテナ着脱式災害救援車の全体構成を示している。
【００１３】
図１において、１は、コンテナＣを載置する車輌である。
【００１４】
車輌１には、車体上と地上との間でコンテナＣを積卸す荷役装置２が搭載されている。
【００１５】
荷役装置２は、図２及び図３に示すように、基端部が車体に枢支されたＬ字状の荷役アーム２１が、伸縮シリンダ２２により回動自在に設けられたもので、荷役アーム２１の先端には、コンテナＣに設けられた係止部Ｃ１と係脱自在なフック２３が設けられている。
【００１６】
よって、車輌１に載置されたコンテナＣは、荷役アーム２１を後方に回動させることで、図１に示す状態から図２に示す状態を経て図３に示すように地上に卸すことができる。また、上述した逆の動作によって地上のコンテナＣを車輌１上に載置することができる。
【００１７】
また、車輌１の後端には、上述したコンテナＣの積卸し時にコンテナＣの底面を支持するロール１１が設けられており、このロール１１でコンテナＣを安定的に支持する。
【００１８】
コンテナＣは、その底面前部に支持部材Ｃ２が設けられるとともに、底面後部に支持ローラＣ３が設けられており、地上に卸した場合には支持部材Ｃ２及び支持ローラＣ３が接地してコンテナ本体を支持する。
【００１９】
なお、上述した着脱方式については一例であり、本発明は容易にコンテナを積卸しできる機械装置を備えた車輌を使用した災害救援車全てを対象とする。
【００２０】
このように車輌１に積卸し自在に載置されたコンテナＣ内には、各種の救援設備が装備される。以下、各種の救援設備を装備したコンテナＣについて説明する。
【００２１】
図４は、消防設備を装備したコンテナＣａを示し、コンテナＣａ内は、ホース格納箱１０、消防ノズル格納箱１１、消防服格納箱１２、消火服格納箱１３などに区画され、各箱にホース１４、消防ノズル１５、消防服１６、消火服１７等が収容されている。
【００２２】
図５は、緊急時の動力源を確保するための動力設備を装備したコンテナＣｂを示し、コンテナＣｂ内には、発電機２１、油圧ユニット２２が収容されるとともに、緊急工作器具２３が収容されている。
【００２３】
図６は、通信設備を装備したコンテナＣｃを示し、コンテナＣｃ内には、電話回線中継装置３１、アンテナ３２の他、無線機などが収容されている。
【００２４】
図７は、照明電源設備を装備したコンテナＣｄを示し、コンテナＣｄ内には、照明機器、コードリール４１の他、発電機、電源コードなどが収容されている。
【００２５】
図８は、広報設備を装備したコンテナＣｅを示し、コンテナＣｅ内には、パソコン５１、テレビ５２、ビデオ５３、情報掲示板５４の他、通信機、アンテナ、スピーカなどが収容されている。
【００２６】
図９は、宿泊設備を装備したコンテナＣｆを示し、コンテナＣｆ内には、簡易ベッド６１、トイレ６２、シャワー６３の他、エアコン、クロゼット、発電機などが収容されている。
【００２７】
図１０は、休憩設備を装備したコンテナＣｇを示し、コンテナＣｇ内には、テーブル７１、椅子７２、エアコン７３、冷蔵庫７４の他、テレビ、キッチンヒータなどが収容されている。
【００２８】
図１１は、トイレ設備を装備したコンテナＣｈを示し、コンテナＣｈ内には、トイレユニット８１、洗面設備８２の他、水ポンプ、水タンクなどが収容されている。
【００２９】
図１２は、汚水処理設備を装備したコンテナＣｉを示し、コンテナＣｉ内には、汚水浄化装置９１の他、糞尿焼却装置などが収容されている。
【００３０】
図１３は、シャワー設備を装備したコンテナＣｊを示し、コンテナＣｊ内には、シャワー１０１を備えたシャワー室１０２の他、乾燥機、脱衣設備、水ポンプ、水タンクなどが収容されている。
【００３１】
図１４は、厨房設備を装備したコンテナＣｋを示し、コンテナＣｋ内には、シンク１１１、食器格納箱１１２、冷蔵庫１１３の他、炊飯器、レンジ、ガスボンベ、材料格納箱などが収容されている。
【００３２】
図１５は、ランドリー設備を装備したコンテナＣｌを示し、コンテナＣｌ内には、洗濯機１２１、乾燥機１２２の他、水ポンプ、水タンクなどが収容されている。
【００３３】
図１６は、診療設備を装備したコンテナＣｍを示し、コンテナＣｍ内には、診療用ベット１３１、冷蔵庫１３２、診療机１３３の他、診療器具、電源機などが収容されている。
【００３４】
図１７は、消毒設備を装備したコンテナＣｎを示し、コンテナＣｎ内には、消毒液タンク１４１、水ポンプ１４２、ホース１４３、散布ノズル１４４などが収容されている。
【００３５】
図１８は、ペットのための宿泊設備を装備したコンテナＣｏを示し、コンテナＣｏ内には、ペット用の檻１５１、籠１５２の他、餌などが収容されている。
【００３６】
図１９は、汚水吸引設備を装備したコンテナＣｐを示し、コンテナＣｐ内には、タンク１６１、吸引装置１６２の他、水ポンプ、ホースなどが収容されている。
【００３７】
図２０は、給水設備を装備したコンテナＣｑを示し、コンテナＣｑ内には、水ポンプ１７１、水タンク１７２の他、ホースなどが収容されている。なお、この給水設備は消火用の水としても使用することができる。
【００３８】
図２１は、造水設備を装備したコンテナＣｒを示し、コンテナＣｒ内には、水タンク１８１の他、造水ユニット、発電機、水中ポンプなどが収容されている。
【００３９】
図２２は、本発明のコンテナ着脱式災害救援車を示しており、コンテナＣｓ内には、汚物焼却処理式トイレが装備されている。
【００４０】
汚物焼却処理式トイレは、複数の便器１９１が配置されるともに、これら便器１９１が搬送管１９２により搬送手段としての搬送装置１９３を介して処理装置１９４に接続されたものである。
【００４１】
前記搬送装置１９３は、真空吸引式のもので、真空吸引によって前記便器１９１に排出された汚物を処理装置１９４に搬送管１９２を通じて搬送する。
【００４２】
前記処理装置１９４は、搬送された汚物を焼却して処理するもので、このように汚物を焼却処理することで、悪臭の発生を防ぐことができるとともに、汚物除去作業が容易に行え、さらに、固形状になった処理物はコンテナ移動に伴って外部に流出するおそれもない。
【００４３】
また、コンテナＣｓ内において便器１９１を低い位置に設置できるため、コンテナＣｓを必要以上に高くする必要がなく、便器１９１上方の空間を十分に確保することができる。さらに、処理装置１９４と便器１９１とを分離して設けたことで、１つの処理装置１９４によって複数の便器１９１に排出された汚物を処理することができる。
【００４４】
このように各コンテナＣａ〜Ｃｓに各種の救援設備を収容することで、災害発生時には、必要な救援設備を収容したコンテナを車輌１に載置して被災地に移送し、車輌１から卸して被災地に設置することで、各種の救援設備を利用することができる。
【００４５】
図２３は、コンテナ着脱式災害救援車の他の構成を示している。
【００４６】
このコンテナ着脱式災害救援車は、前述したコンテナ着脱式災害救援車においてコンテナＣｓに搭載された汚物焼却処理式トイレの搬送装置１９３が、各便器１９１から回収された汚物を貯留しておく汚物貯留タンク１９５と、この汚物貯留タンク１９５内の汚物を処理装置１９４に吸引圧送する汚物吸引圧送手段としてのポンプ１９６とから構成されたものである。なお、他の構成については前述したコンテナ着脱式災害救援車の構成と同様であり、同部材に同符号を付すことで、説明は省略する。
【００４７】
汚物貯留タンク１９５は、各便器１９１から真空圧送装置１９１ａにより真空圧送される汚物を所定量貯留するためのもので、この汚物貯留タンク１９５内の底部に前記ポンプ１９６が配置されている。
【００４８】
ポンプ１９６は、汚物貯留タンク１９５内に貯留された汚物や異物を破砕する破砕機構を有しており、汚物や異物を一定の大きさに破砕した状態で、汚物輸送管１９７を経て処理装置１９４に吸引圧送される。
【００４９】
また、前記汚物貯留タンク１９５には、当該汚物貯留タンク１９５に貯留された汚物の水位を検知する汚物水位検知装置（汚物検知手段）１９８が設けられている。
【００５０】
ここで、汚物水位検知装置１９８で検知する水位とは、処理装置１９４で処理することができる量の汚物が汚物貯留タンク１９５に溜まった際の水位をいう。
【００５１】
汚物輸送管１９７の途中部には、第１開閉弁１９９が設けられ、この第１開閉弁１９９よりもポンプ１９６側の汚物輸送管１９７からバイパス管１９７ａが分岐されている。
【００５２】
バイパス管１９７ａは、その先端が前記汚物貯留タンク１９５内の上部に連通され、途中部に第２開閉弁２００が設けられている。
【００５３】
また、前記処理装置１９４は、処理能力を高めるために上下２段に配置されている。
【００５４】
次に、このように構成された搬送装置１９３を備えた汚物焼却処理式トイレによる処理動作について説明する。
【００５５】
便器１９１に排出された汚物は、真空圧送により汚物貯留タンク１９５に移送されて貯留される。この際、ポンプ１９６は、停止状態である。
【００５６】
そして、汚物貯留タンク１９５に汚物が順次貯留され、汚物水位検知装置１９８により汚物が所定水位まで貯留されたことを検知すると、ポンプ１９６を作動させる。
【００５７】
この際、第１開閉弁１９９が閉じられ、第２開閉弁２００が開放されており、ポンプ１９６から吸引された汚物は、バイパス管１９７ａを通じて再び汚物貯留タンク１９５内にその上方から落下するようにして戻される。この結果、汚物貯留タンク１９５内に貯留されている汚物が撹拌される。
【００５８】
この汚物の撹拌を所定時間行った後、第１開閉弁１９９を開放し、第２開閉弁２００を閉じる。
【００５９】
これにより、ポンプ１９６から吸引された汚物は、汚物輸送管１９７から処理装置１９４に吸引圧送され、汚物貯留タンク１９５内の汚物が処理装置１９４に移送されるとポンプ１９６を停止する。処理装置１９４に圧送された汚物は、焼却処理される。
【００６０】
ポンプ１９６の停止は、当該ポンプ１９６による汚物の吸引を開始してから予め設定された時間が経過した後に行うか、もしくは汚物貯留タンク１９５の汚物が無くなったことを検知する検知装置を設け、この検知装置で検知した際に行えばよい。なお、上述したポンプ１９６を停止する時間の設定は、汚物貯留タンク１９５に所定量溜まった汚物を吸引することから、ポンプ１９６の吸引能力により容易に算出できる。
【００６１】
そして、上述のようにして吸引圧送される汚物は、ポンプに付加された破砕機構により十分に小さく破砕されているため、汚物輸送管１９７内や第１開閉弁１９９等で閉塞することがなく円滑に吸引圧送される。
【００６２】
また、処理装置１９４へ圧送する前に汚物貯留タンク１９５内の汚物を十分に撹拌するため、浮遊物や沈澱物などをも円滑に処理装置１９４に圧送でき、汚物貯留タンク１９５の内壁面や底面に浮遊物や沈澱物等が付着した状態で残留するのを防止できる。
【００６３】
さらに、処理装置１９４には、前述したように汚物を破砕且つ撹拌することで水質が均一になった汚物が圧送されることになり、処理装置１９４への汚物の供給が安定し、処理を効率良く行うことができる。
【００６４】
このように処理装置１９４の処理能力に応じて、汚物水位検知装置１９８によって検知した際に、一定量の汚物をまとめて焼却処理することで、従来のようにトイレを使用した都度、汚物を焼却処理する必要がなく、効率良く処理することができ、燃料消費量を大幅に節約できる。
【００６５】
なお、処理装置１９４で処理可能な量の汚物が汚物貯留タンク１９５に溜まったことを検知する汚物検知手段としては、前述した汚物水位検知装置１９８に限らず、汚物貯留タンク１９５に溜まった汚物の重量を検知する重量検知装置でもよい。
【００６６】
図２４は、上述のように構成された汚物焼却処理式トイレを装備したコンテナの具体的なレイアウトの一例を示したものである。
【００６７】
図２４において、コンテナの中央部に４個の便器１９１が配置され、その右側に処理装置１９４及び汚物貯留タンク１９５が配置されている。
【００６８】
なお、図２４における符号２０１は小便器、２０２は手洗い装置、２０３は発電機である。また、これら各装置の他に、燃料タンクや、洗浄装置を構成する水タンクやポンプなどの各装置が配置されている。
【００６９】
図２５は、コンテナ着脱式災害救援車における洗浄装置の構成を示している。
【００７０】
このコンテナ着脱式災害救援車は、前述した汚物焼却処理式トイレの汚物貯留タンクを洗浄する洗浄装置を備えたものである。
【００７１】
この洗浄装置は、汚物焼却処理式トイレに備えられた既存のものを利用したものである。
【００７２】
既存の洗浄装置は、水タンク２１０に連通されたポンプ２１１が供給管２１２を通じて小便器２０１、便器１９１、手洗い装置２０３にそれぞれ接続されており、ポンプ２１１によって水タンク２１０の水を小便器２０１、便器１９１及び手洗い装置２０３に供給する。
【００７３】
そして、上述のように構成された既存の洗浄装置の供給管２１２のうち一の供給管２１２（本例では小便器２０１に連通された供給管）に切換弁２１３を設け、この切換弁２１３を介して洗浄管２１４が供給管２１２から分岐されて汚物貯留タンク１９５に連通されている。
【００７４】
このように既存の洗浄装置を改良して切換弁２１３、洗浄管２１４を介して汚物貯留タンク１９５に連通することで、水タンク２１０の水をポンプ２１１によって洗浄水として汚物貯留タンク１９５に供給することができ、汚物貯留タンク１９５内を洗浄することができる。
【００７５】
この際、ポンプ２１１により供給される水は加圧されているため、汚物貯留タンク１９５内の洗浄には最適である。
【００７６】
【発明の効果】
以上述べたように、本発明のコンテナ着脱式災害救援車によれば、車輌１台に対してコンテナ複数台の組合せで良いので、導入価格が低廉となること、さらに、車輌一台ごとに必要となる税金、保険、整備費等が、車輌１台分で済むので、維持費用の面でも低廉である。
【００７８】
本発明のコンテナ着脱式災害救援車によれば、便器と処理装置とが平面上に分離して併置され、これら便器と処理装置とが搬送手段を介して接続されて汚物焼却処理式トイレを構成したことで、コンテナ内において便器を低い位置に設置できるため、コンテナを必要以上に高くする必要がなく、便器上方の空間を十分に確保することができる。また、処理装置と便器とを分離して設けたことで、１つの処理装置によって複数の便器に排出された汚物を処理することができる。また、便器と処理装置を分離し、これら便器と処理装置とを搬送手段を介して接続したので、処理装置の不慮の事故などが利用者に及ぶのを回避でき、安全性を向上させることができる。
【００７９】
本発明のコンテナ着脱式災害救援車によれば、処理装置が故障などにより稼働しなくなっても、汚物を汚物貯留タンクに一旦貯留しておき、汚物貯留タンクが満杯になるまでに処理装置を修理や交換すればよいので、不慮の事故が発生してもトイレの機能を確実に維持でき、故障などの発生に迅速に対応するのが困難な状況になりやすい災害時の救援に最適である。
【００８０】
本発明のコンテナ着脱式災害救援車によれば、汚物検知手段の検知に基づいて汚物を処理装置に吸引圧送することで、処理装置の処理能力に応じて一定量ずつをまとめて焼却処理することができるため、従来のようにトイレを使用した都度、燃焼処理を行う必要がなく、燃料消費量を著しく節約できる。よって、災害発生時などのように、頻繁な燃料の補給が困難な場合でも長期間の使用が可能になり非常に有効である。
【００８１】
本発明のコンテナ着脱式災害救援車によれば、汚物吸引圧送手段により圧送された汚物をバイパス管を介して汚物貯留タンクに戻すことにより、汚物貯留タンク内の汚物を撹拌することができ、以下のような効果を奏することができる。
（１）吸引圧送が困難な浮遊物や沈澱物を撹拌することによりこれら浮遊物や沈澱物をも吸引圧送でき、浮遊物や沈澱物が汚物貯留タンクの内壁面や底面に付着して残留するのを防止できる。
（２）撹拌作用により汚物の水質を均一にでき、処理装置への汚物の供給が安定するため効率良く焼却処理することができる。
（３）既存の設備を少し改良するだけで別途撹拌装置を設ける必要がなく、コストダウンを図ることができ、また、搬送手段の構成をコンパクトにすることができコンテナ内のスペースを有効に活用することができる。
【００８２】
本発明のコンテナ着脱式災害救援車によれば、既存の設備を少し改良するだけで別途洗浄装置を設ける必要がなく、コストダウンを図ることができるとともに、汚物貯留タンク内を容易に洗浄できるので衛生面でもよい。
【図面の簡単な説明】
【図１】本発明のコンテナ着脱式災害救援車の概略を示す側面図である。
【図２】コンテナの積卸しを説明するための側面図である。
【図３】コンテナの積卸しを説明するための側面図である。
【図４】消防設備を装備したコンテナを載置したコンテナ着脱式災害救援車を示す概略の側面図である。
【図５】緊急時の動力源を確保するための動力設備を装備したコンテナを載置したコンテナ着脱式災害救援車を示す概略の側面図である。
【図６】通信設備を装備したコンテナＣを載置したコンテナ着脱式災害救援車を示す概略の側面図である。
【図７】照明電源設備を装備したコンテナを載置したコンテナ着脱式災害救援車を示す概略の側面図である。
【図８】広報設備を装備したコンテナを載置したコンテナ着脱式災害救援車を示す概略の側面図である。
【図９】宿泊設備を装備したコンテナを載置したコンテナ着脱式災害救援車を示す概略の側面図である。
【図１０】休憩設備を装備したコンテナを載置したコンテナ着脱式災害救援車を示す概略の側面図である。
【図１１】トイレ設備を装備したコンテナを載置したコンテナ着脱式災害救援車を示す概略の側面図である。
【図１２】汚水処理設備を装備したコンテナを載置したコンテナ着脱式災害救援車を示す概略の側面図である。
【図１３】シャワー設備を装備したコンテナを載置したコンテナ着脱式災害救援車を示す概略の側面図である。
【図１４】厨房設備を装備したコンテナを載置したコンテナ着脱式災害救援車を示す概略の側面図である。
【図１５】ランドリー設備を装備したコンテナを載置したコンテナ着脱式災害救援車を示す概略の側面図である。
【図１６】診療設備を装備したコンテナを載置したコンテナ着脱式災害救援車を示す概略の側面図である。
【図１７】消毒設備を装備したコンテナを載置したコンテナ着脱式災害救援車を示す概略の側面図である。
【図１８】ペットのための宿泊設備を装備したコンテナを載置したコンテナ着脱式災害救援車を示す概略の側面図である。
【図１９】汚水吸引設備を装備したコンテナを載置したコンテナ着脱式災害救援車を示す概略の側面図である。
【図２０】給水設備を装備したコンテナを載置したコンテナ着脱式災害救援車を示す概略の側面図である。
【図２１】造水設備を装備したコンテナを載置したコンテナ着脱式災害救援車を示す概略の側面図である。
【図２２】  本発明のコンテナ着脱式災害救援車を示す概略の側面図である。
【図２３】  本発明のコンテナ着脱式災害救援車において、コンテナ内に装備された汚物燃焼処理式トイレの概略構成を示す図である。
【図２４】汚物焼却処理式トイレを装備したコンテナの具体的なレイアウトの一例を示す平面図である。
【図２５】  コンテナ着脱式災害救援車における洗浄装置の構成を示す概略の斜視図である。
【符号の説明】
１  車輌
２  荷役装置
２１  荷役アーム
２３  フック
Ｃ  コンテナ
Ｃ１  係止部
１９１  便器
１９３  搬送装置（搬送手段）
１９４  処理装置
１９５  汚物貯留タンク
１９６  ポンプ（汚物吸引圧送手段）
１９７  汚物輸送管
１９７ａ  バイパス管
１９８  汚物水位検知装置（汚物検知手段）
１９９  第１開閉弁
２１３  切換弁
２１４  洗浄管
【図１】
0003738868.tif 000002
【図２】
0003738868.tif 000003
【図３】
0003738868.tif 000004
【図４】
0003738868.tif 000005
【図５】
0003738868.tif 000006
【図６】
0003738868.tif 000007
【図７】
0003738868.tif 000008
【図８】
0003738868.tif 000009
【図９】
0003738868.tif 000010
【図１０】
0003738868.tif 000011
【図１１】
0003738868.tif 000012
【図１２】
0003738868.tif 000013
【図１３】
0003738868.tif 000014
【図１４】
0003738868.tif 000015
【図１５】
0003738868.tif 000016
【図１６】
0003738868.tif 000017
【図１７】
0003738868.tif 000018
【図１８】
0003738868.tif 000019
【図１９】
0003738868.tif 000020
【図２０】
0003738868.tif 000021
【図２１】
0003738868.tif 000022
【図２２】
0003738868.tif 000023
【図２３】
0003738868.tif 000024
【図２４】
0003738868.tif 000025
【図２５】
0003738868.tif 000026